(57)【要約】【課題】トレイとカバーとをしっかりと固定しても、内容物の重量にかかわらず容易に分離することができ、梱包状態での圧縮強度にも優れた２ピース包装箱を提供する。【解決手段】トレイ１とカバー２とから成り、トレイ１は、後壁３、一対の側壁４及び底壁３０を備え、カバー２は、前壁２１、一対の側壁２２及び天壁３１を備え、側壁２２に側部切目線２５を入れて下辺に臨む切取片２６が形成されたものとする。梱包状態では、側壁４の外側に側壁２２が重なって、切取片２６の内側で側壁４，２２同士が貼り合わされ、後壁３の上端に天壁３１が繋がり、トレイ1とカバー２とを分離するための上部切目線１１を有し、側壁２２がトレイ１の底部まで達する形状とする。開梱に際して、天壁３１の後部を前上方へ引っ張るだけで、カバー２が前方へ回転し、切取片２６が側壁２２に干渉することなく、側壁４に貼り付いた状態でトレイ１とカバー２とが分離する。【選択図】図７
2017019547.tif 000002
【特許請求の範囲】
【請求項１】
内容物を収納するトレイ(1)とこれに被せるカバー(2)とから成り、前記トレイ(1)は、後壁(3)、一対の側壁(4)及び底壁(30)を備えたものとし、前記カバー(2)は、前壁(21)、一対の側壁(22)及び天壁(31)を備え、側壁(22)に側部切目線(25)を入れて下辺に臨む切取片(26)が形成されたものとし、
梱包状態では、トレイ(1)の側壁(4)の外面側にカバー(2)の側壁(22)が重なって、切取片(26)の内側でトレイ(1)とカバー(2)の側壁(4,22)同士が貼り合わされ、後壁(3)の上端に天壁(31)が繋がり、後壁(3)から天壁(31)のいずれかの領域を通るように、トレイ(1)とカバー(2)とを分離するための上部切目線(11)が入れられ、カバー(2)の側壁(22)がトレイ(1)の底部まで達する形状とされ、
カバー(2)の側壁(22)の前下角を点Ａ、側壁(22)の下辺における切取片(26)の前端を点Ｂ、切取片(26)の後端を点Ｃとした場合、切取片(26)は、点Ａを中心とする半径ＡＢの円弧と半径ＡＣの円弧に挟まれた領域に存在し、
開梱に際しては、天壁(31)の後部を前上方へ引っ張ると、上部切目線(11)が切断されると共に、カバー(2)が前壁(21)の下端を軸として前方へ回転し、側部切目線(25)が切断されて、切取片(26)がトレイ(1)の側壁(4)に貼り付いた状態でトレイ(1)とカバー(2)とが分離する２ピース包装箱。
【請求項２】
請求項１に記載の２ピース包装箱において、前記トレイ(1)のブランクは、後壁(3)、一対の側壁(4)及び前壁(5)が横方向に順次連なり、これらの下端に底板(7,8)が連設され、後壁(3)の上端に天板(9)が連設された構成とされ、カバー(2)のブランクは、前壁(21)の両側に側壁(22)が連なり、これらの上端に天板(23,24)が連設された構成とされ、
トレイ(1)とカバー(2)のブランクが貼り合わされて、底面及び天面を開放した状態で偏平に折り畳み可能とされ、
梱包状態では、トレイ(1)の後壁(3)、一対の側壁(4)及び前壁(5)が四角筒状に折り曲げられると共に、カバー(2)の前壁(21)から一対の側壁(22)が後方へ折り曲げられて立体化され、底板(7,8)が重ね合わされて底壁(30)が形成され、天板(9,23,24)が重ね合わされて天壁(31)が形成されることを特徴とする請求項１に記載の２ピース包装箱。
【発明の詳細な説明】
【技術分野】
【０００１】
この発明は、トレイとこれに被せて固定されるカバーとから成り、その分離手段を備えた２ピース包装箱に関するものである。
【背景技術】
【０００２】
下記特許文献１には、図９及び図１０に示すように、内容物を収納するトレイ５１と、これに被せるカバー５２とから成る２ピース包装箱が記載されている。この２ピース包装箱のトレイ５１は、底壁５３、上下方向の寸法が小さい前壁５４、上下方向の寸法が大きい後壁５５、上縁が前下がりの斜辺となった台形状の一対の側壁５６及び後述する天壁６０の一部となる天板５７を備えたものとされ、カバー５２は、上下方向の寸法が大きい前壁５８、下縁が前下がりの斜辺となった台形状の一対の側壁５９並びに前壁５８及び側壁５９の上端から延びて天壁６０を構成する天板６１，６２を備えたものとされている。
【０００３】
また、後壁５５と天板５７の境界には、ミシン目状の切目線６３が入れられ、後壁５５の上端中央部には、コ字状の切目線を入れて切目線６３に臨む押込片６４が形成されている。カバー５２の側壁５９には、斜辺の中間部に臨む指入穴６５が形成されている。
【０００４】
そして、図９に示す梱包状態では、トレイ５１の前壁５４及び側壁５６の内面側にカバー５２の前壁５８及び側壁５９が沿うように、トレイ５１にカバー５２が嵌め入れられ、側壁５６，５９同士が指入穴６５近傍の斜辺に臨む接着部６６で貼り合わされて、トレイ５１とカバー５２とが固定されている。また、天板６２を内側へ折り曲げ、これに天板５７，６１を折り重ねて貼り合わせることにより、天壁６０が形成されている。
【０００５】
この２ピース包装箱の開梱に際しては、図１０に示すように、押込片６４を押し込み、天壁６０の後部を上方へ引っ張ることにより、切目線６３を切断し、次に、接着部６６を剥離させ、指入穴６５に指を入れて、カバー５２をトレイ５１から垂直上方へ引き抜く。これに伴い、トレイ５１の天板５７がカバー５２の天板６２に貼り付いた状態で、トレイ５１とカバー５２とが分離する。
【先行技術文献】
【特許文献】
【０００６】
【特許文献１】特許第５４５８０８９号公報
【発明の概要】
【発明が解決しようとする課題】
【０００７】
しかしながら、上記のような２ピース包装箱では、開梱に際し、天壁６０の後部を上方へ引っ張って切目線６３を切断した後、カバー５２をトレイ５１から垂直上方へ引き抜かなければならず、２つの動作が必要となることから、煩わしさを感じることがある。
【０００８】
また、接着部６６を剥離させる際、大きな力を要し、この接着力を弱めると、カバー５２を把持して運搬する際、トレイ５１が落下する危険性が生じる。さらに、収納した物品が軽い場合、接着部６６の剥離が不十分な状態で、カバー５２をトレイ５１から垂直上方へ引き抜こうとすると、トレイ５１がカバー５２と共に持ち上げられてしまい、トレイ５１とカバー５２とを分離できないことがある。
【０００９】
そのほか、梱包状態において、カバー５２の側壁５９が圧縮強度に寄与せず、積上荷重に対する全体の強度が比較的低いものとなるという問題もある。
【００１０】
そこで、この発明は、トレイとカバーとをしっかりと固定しても、内容物の重量にかかわらず容易に分離することができ、梱包状態での圧縮強度にも優れた２ピース包装箱を提供することを課題とする。
【課題を解決するための手段】
【００１１】
上記のような課題を解決するため、この発明は、内容物を収納するトレイとこれに被せるカバーとから成る２ピース包装箱において、前記トレイは、後壁、一対の側壁及び底壁を備えたものとし、前記カバーは、前壁、一対の側壁及び天壁を備え、側壁に側部切目線を入れて下辺に臨む切取片が形成されたものとし、梱包状態では、トレイの側壁の外面側にカバーの側壁が重なって、切取片の内側でトレイとカバーの側壁同士が貼り合わされ、後壁の上端に天壁が繋がり、後壁から天壁のいずれかの領域を通るように、トレイとカバーとを分離するための上部切目線が入れられ、カバーの側壁がトレイの底部まで達する形状とされ、カバーの側壁の前下角を点Ａ、側壁の下辺における切取片の前端を点Ｂ、切取片の後端を点Ｃとした場合、切取片は、点Ａを中心とする半径ＡＢの円弧と半径ＡＣの円弧に挟まれた領域に存在し、開梱に際しては、天壁の後部を前上方へ引っ張ると、上部切目線が切断されると共に、カバーが前壁の下端を軸として前方へ回転し、側部切目線が切断されて、切取片がトレイの側壁に貼り付いた状態でトレイとカバーとが分離するようにしたのである。
【００１２】
また、この２ピース包装箱において、前記トレイのブランクは、後壁、一対の側壁及び前壁が横方向に順次連なり、これらの下端に底板が連設され、後壁の上端に天板が連設された構成とされ、カバーのブランクは、前壁の両側に側壁が連なり、これらの上端に天板が連設された構成とされ、トレイとカバーのブランクが貼り合わされて、底面及び天面を開放した状態で偏平に折り畳み可能とされ、梱包状態では、トレイの後壁、一対の側壁及び前壁が四角筒状に折り曲げられると共に、カバーの前壁から一対の側壁が後方へ折り曲げられて立体化され、底板が重ね合わされて底壁が形成され、天板が重ね合わされて天壁が形成されるようにしたのである。
【発明の効果】
【００１３】
この発明に係る２ピース包装箱では、開梱する際、天壁の後部を前上方へ引っ張るだけで、上部切目線が切断されると共に、側部切目線が切断されて、切取片とカバーの側壁とが干渉することなく、カバーが前壁の下端を軸として前方へ回転し、トレイとカバーとが分離するので、１つの動作で容易に開梱でき、内容物の重量に影響されることもない。
【００１４】
また、開梱した後、切取片はトレイの側壁に貼り付いたままの状態となるので、剥離に要する力を考慮することなく、切取片の領域内でトレイとカバーの側壁同士を強力に接着でき、運搬時におけるカバーからのトレイの脱落を防止することができる。
【００１５】
また、梱包状態で、カバーの側壁がトレイの底部まで達しているため、カバーが圧縮強度に寄与し、積上荷重に対して優れた強度を得ることができ、多数段積み上げて輸送し、展示することもできる。
【００１６】
そのほか、カバーの周壁の構成部材が前壁及び一対の側壁の３面しかないため、トレイとカバーとを貼り合わせた状態で、無理なく偏平に折り畳むことができ、その折畳状態から迅速に組み立てることができる。
【図面の簡単な説明】
【００１７】
【図１】この発明の実施形態に係る２ピース包装箱のブランクを示す図
【図２】同上のカバーの側壁の拡大図
【図３】同上のトレイとカバーのブランクを貼り合わせた状態を示す図
【図４】同上の折畳状態を示す斜視図
【図５】同上の梱包状態を示す斜視図
【図６】同上の前面開口状態を示す斜視図
【図７】同上の開梱過程を示す斜視図
【図８】同上の開梱状態を示すトレイの斜視図
【図９】特許文献１記載の２ピース包装箱の梱包状態を示す斜視図
【図１０】同上の開梱過程を示す斜視図
【発明を実施するための形態】
【００１８】
以下、この発明の実施形態を添付図面に基づいて説明する。
【００１９】
この実施形態に係る２ピース包装箱は、商品の梱包及び店頭での展示に兼用されるものであり、図１に示すトレイ１とカバー２のブランクから構成される。トレイ１及びカバー２は、厚さ約２ｍｍの段ボールを材料とする。
【００２０】
トレイ１のブランクでは、後壁３の一側に一方の側壁４、前壁５及び他方の側壁４が横に並べて順次連設され、後壁３の他側に継代片６が連設されている。後壁３は、縦長の長方形であり、前壁５は、上下方向の寸法が小さく、上縁中間部が抉られた形状とされ、側壁４の上縁には、後壁３側から前壁５側へかけて低くなる斜辺が設けられている。
【００２１】
後壁３及び前壁５の下端には、一側部に斜め方向の折目線を有する底板７が連設され、一対の側壁４の下端には底板８が連設されている。後壁３の上端には、後述する天壁３１の一部となる天板９が連設されている。
【００２２】
後壁３の上端中央部には、天板９との境界からミシン目状の切目線を入れて押込片１０が形成され、押込片１０の両端から後壁３と天板９の境界の両端へかけて、鉤状の切目が断続するジッパ型の上部切目線１１が入れられている。側壁４の上部には、補強片１２が切目線を介して設けられている。
【００２３】
カバー２のブランクでは、前壁２１の両側に側壁２２が連設され、前壁２１及び側壁２２は、それぞれトレイ１の後壁３とほぼ同じ高さの長方形とされている。前壁２１及び側壁２２の上縁には、それぞれ天板２３，２４が連設されている。
【００２４】
側壁２２には、山型状にジッパ型の側部切目線２５を入れて、下辺に臨む切取片２６が形成されている。ここで、図２に示すように、側壁２２の前下角を点Ａ、側壁２２の下辺における切取片２６の前端を点Ｂ、切取片２６の後端を点Ｃとした場合、側部切目線２５の点Ｃ側部分は弧状に湾曲し、点Ｂ側部分は上方へかけて後傾して、切取片２６は、点Ａを中心とする半径ＡＢの円弧と半径ＡＣの円弧に挟まれた領域に存在している。
【００２５】
また、図１に示すように、前壁２１と一方の側壁２２の境界には、折畳時にトレイ１の前壁５と一方の側壁４の境界の折曲部分を逃がすため、下端から途中までスリット２７が入れられている。そのほか、前壁２１には、展示時に前面を開口させて商品が見えるようにするため、切目線に囲まれた窓板部２８が形成され、窓板部２８の上端中央部には、弧状の切目線を入れて指入部２９が形成されている。
【００２６】
このようなトレイ１とカバー２のブランクは、使用者への提供に先立って、図３に示すように、トレイ１の側壁４及び前壁５の外面側にカバー２の側壁２２及び前壁２１をそれぞれ下辺を揃えて重ね、切取片２６の内側の接着部２６ａと補強片１２の接着部１２ａとで接着剤により貼り合わせる。
【００２７】
そして、図４に示すように、折り重ねた状態で、継代片６を他方の側壁４の内面に貼り付け、これと同時に、底板７，８を内側へ折り曲げて、底板７の斜め方向の折目線に沿った折返部を底板８の外面に貼り付ける。これにより、２ピース包装箱は偏平な折畳状態となり、嵩張らない状態で使用者に提供することができる。
【００２８】
このような折畳状態から組み立てて商品を梱包するには、図５に示すように、トレイ１の後壁３、一対の側壁４及び前壁５を四角筒状に折り曲げると共に、カバー２の前壁２１から一対の側壁２２を後方へ折り曲げて立体化し、底板７，８を平面に伸ばして底壁３０を形成する。その後、天面の開口部を経て箱内に商品を収納し、天板９，２３を前方及び後方へそれぞれ折り曲げ、これに補強片１２を折り重ね、一対の天板２４を内側方へ折り曲げて、天板９，２３に貼り合わせることにより、天壁３１を形成する。
【００２９】
このように商品を梱包した２ピース包装箱を小売店へ輸送し、店頭でカバー２を外すことなく商品を展示する場合には、指入部２９を押し込み、窓板部２８を手前に引っ張って前壁２１から切り取り、図６に示すように、前面を開口させる。この前面開口状態では、複数の２ピース包装箱を積み上げて展示できる。
【００３０】
また、トレイ１からカバー２を除去して展示する場合には、図７に示すように、押込片１０を押し込んで、天壁３１の後部を前上方へ引っ張ると、上部切目線１１が切断され、カバー２が前壁２１の下端を軸として前方へ回転し、側部切目線２５が切断されて、切取片２６がトレイ１の側壁４に貼り付いた状態で、トレイ１とカバー２とが分離する。
【００３１】
これにより、カバー２を除去して、図８に示すように、天面から前面へかけて開放された状態で、トレイ１から商品を露出させて展示することができる。
【００３２】
上記のような２ピース包装箱では、開梱する際、天壁３１の後部を前上方へ引っ張るだけで、上部切目線１１が切断されると共に、側部切目線２５が切断されて、切取片２６とカバー２の側壁２２とが干渉することなく、カバー２が前壁２１の下端を軸として前方へ回転し、トレイ１とカバー２とが分離するので、１つの動作で容易に開梱でき、カバー２をトレイ１から垂直上方へ引き抜くのではなく、前方へ回転させて除去するので、商品が軽くても開梱の容易性が損なわれることがない。
【００３３】
また、開梱後、切取片２６はトレイ１の側壁４に貼り付いたままの状態となるので、剥離に要する力を考慮することなく、切取片２６の領域内でトレイ１とカバー２の側壁４，２２同士を強力に接着することができ、運搬時におけるカバー２からのトレイ１の脱落を防止することができる。
【００３４】
さらに、梱包状態で、カバー２の側壁２２がトレイ１の底部まで達しているため、カバー２が圧縮強度に寄与し、積上荷重に対して優れた強度を得ることができ、多数段積み上げて輸送し、展示することもできる。
【００３５】
そのほか、カバー２の周壁の構成部材が前壁２１及び一対の側壁２２の３面しかないため、トレイ１とカバー２とを貼り合わせた状態で、これらの厚さによる周方向の寸法差の影響を受けることなく、偏平に折り畳むことができ、その折畳状態から迅速に組み立てることができる。
【００３６】
なお、上記実施形態では、トレイ１として、底壁３０がワンタッチ組立式となったものを例示したが、流通時に折り畳む必要がない場合、トレイ１は、方形の底壁３０の周囲に連設した後壁３、一対の側壁４及び前壁５を起立させて組み立てる形式としてもよい。また、トレイ１をこのような形式とした場合、前壁５を省略し、カバー２を除去したとき、トレイ１の前面が全体的に開放されるようにしてもよい。
【００３７】
また、上部切目線１１を、後壁３と天壁３１の境界に沿ってその両端へ向かうように入れたものを例示したが、上部切目線１１は、切断に伴いトレイ1とカバー２とを分離できるものであれば、後壁３と天壁３１の境界の両端へ向かうものでなくてもよい。
【符号の説明】
【００３８】
１  トレイ
２  カバー
３  後壁
４  側壁
５  前壁
６  継代片
７，８  底板
９  天板
１０  押込片
１１  上部切目線
１２  補強片
１２ａ  接着部
２１  前壁
２２  側壁
２３，２４  天板
２５  側部切目線
２６  切取片
２６ａ  接着部
２７  スリット
２８  窓板部
２９  指入部
３０  底壁
３１  天壁
【図１】
2017019547.tif 000003
【図２】
2017019547.tif 000004
【図３】
2017019547.tif 000005
【図４】
2017019547.tif 000006
【図５】
2017019547.tif 000007
【図６】
2017019547.tif 000008
【図７】
2017019547.tif 000009
【図８】
2017019547.tif 000010
【図９】
2017019547.tif 000011
【図１０】
2017019547.tif 000012